(57)【要約】  本開示の実施形態は、ヌメロロジーを示すための方法および装置を提供する。該方法は、キャリアについての１つ又は複数の基本ユニットの複数のヌメロロジーを示す、前記キャリアのヌメロロジー情報を決定すること、及び、前記ヌメロロジー情報に基づいて受信可能とするために、端末装置へ前記ヌメロロジー情報を送信することを含む。【選択図】図３
2019536344.tif 000002
【特許請求の範囲】
【請求項１】
ネットワーク装置によって実行される方法であって、
キャリアについての１つ又は複数の基本ユニットの複数のヌメロロジーを示す、前記キャリアのヌメロロジー情報を決定すること、及び、
前記ヌメロロジー情報に基づいて受信可能とするために、端末装置へ前記ヌメロロジー情報を送信すること、
を含む方法。
【請求項２】
前記基本ユニットは、前記キャリアの複数のサブキャリアによって用いられる、サブキャリア間隔及びシンボル長に基づいて、決定される、
請求項１記載の方法。
【請求項３】
前記ヌメロロジー情報を決定することは、複数の前記基本ユニットのすべてについての複数のヌメロロジーを決定することを含み、
前記ヌメロロジー情報を送信することは、前記複数の基本ユニットのすべてについての前記複数のヌメロロジーに関する情報を前記端末装置へ送信することを含む、
請求項１記載の方法。
【請求項４】
前記ヌメロロジー情報を決定することは、
前記複数の基本ユニットの複数のグループを示すグルーピングパターンを決定すること、及び、
各グループについてのヌメロロジーを決定すること、
を含み、
前記ヌメロロジー情報を送信することは、前記グルーピングパターン及び／又は各グループについての前記ヌメロロジーに関する情報を前記端末装置へ送信することを含む、
請求項１記載の方法。
【請求項５】
前記ヌメロロジー情報を決定することは、
前記複数の基本ユニットについての複数のヌメロロジーを決定すること、及び、
前記複数のヌメロロジーと前記複数の基本ユニットとの間の対応付けを決定すること、
を含み、
前記ヌメロロジー情報を送信することは、前記複数のヌメロロジー及び／又は前記対応付けに関する情報を前記端末装置へ送信することを含む、
請求項１記載の方法。
【請求項６】
前記ヌメロロジー情報を決定することは、
前記複数の基本ユニットを複数のグループに分割すること、及び、
前記複数のグループのうちの１つにおける複数の基本ユニットについての複数のヌメロロジーを示す、ヌメロロジー分布パターンを決定すること、
を含み、
前記ヌメロロジー情報を送信することは、前記ヌメロロジー分布パターンに関する情報及び／又は前記複数のグループに関する情報を前記端末装置へ送信することを含む、
請求項１記載の方法。
【請求項７】
隣接する複数の基本ユニットの複数のヌメロロジーに基づいて、前記隣接する複数の基本ユニットの間のガードバンドに関するガードバンド情報を決定すること、及び、
前記ガードバンド情報を前記端末装置へ送信すること、
を更に含む、請求項１記載の方法。
【請求項８】
前記ガードバンド情報を決定することは、
前記隣接する複数の基本ユニットの複数のヌメロロジーの間に変化点が存在するかを検出すること、及び、
前記検出に基づいて、前記隣接する複数の基本ユニットの間にガードバンドを存在させることを決定すること、
を含む、
請求項７記載の方法。
【請求項９】
前記ガードバンド情報は、
前記ガードバンドによって占有される複数のサブキャリア、
前記ガードバンドによって占有される複数の物理リソースブロック、及び、
前記ガードバンドが位置する基本ユニット、
のうちの１つ又は複数を更に含む、
請求項７又は８に記載の方法。
【請求項１０】
前記ガードバンド情報を前記端末装置へ送信することは、前記ヌメロロジー情報に基づいて、前記ガードバンド情報を前記端末装置へ送信することを含む、
請求項７記載の方法。
【請求項１１】
１つ又は複数の端末装置にリソースを割り当てること、及び
前記割り当てられたリソースに関する情報を前記端末装置へ送信すること、
を更に含み、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含む、
請求項１記載の方法。
【請求項１２】
前記ヌメロロジー情報を送信することは、
参照ヌメロロジーを送信するための前記キャリアの領域において、前記ヌメロロジー情報を送信すること、及び、
前記複数の基本ユニットのうちの１つ又は複数、及び、前記参照ヌメロロジーを送信するための前記キャリアの前記領域、のうちの少なくとも１つにおいて、前記割り当てられたリソースに関する情報を送信すること、
を含む、
請求項１１記載の方法。
【請求項１３】
端末装置によって実行される方法であって、
キャリアについての１つ又は複数の基本ユニットの複数のヌメロロジーを示す、前記キャリアのヌメロロジー情報をネットワーク装置から受信すること、及び、
前記ヌメロロジー情報に基づいて、信号をデコードすること、
を含む方法。
【請求項１４】
前記基本ユニットは、前記キャリアの複数のサブキャリアによって用いられる、サブキャリア間隔及びシンボル長に基づいて、決定される、
請求項１３記載の方法。
【請求項１５】
前記ヌメロロジー情報を受信することは、
複数の前記基本ユニットのすべてについての複数のヌメロロジー関する情報を受信すること、
前記複数の基本ユニットの複数のグループを示すグルーピングパターン及び／又は各グループについてのヌメロロジーに関する情報を受信すること、
前記複数の基本ユニットについての複数のヌメロロジー及び／又は前記複数のヌメロロジーと前記複数の基本ユニットとの間の対応付けに関する情報を受信すること、及び、
複数の基本ユニットの複数のグループのうちの１つにおける複数の基本ユニットについての複数のヌメロロジーを示す、ヌメロロジー分布パターンに関する情報、及び、前記複数のグループにおける前記複数の基本ユニットが同じ前記ヌメロロジー分布パターンを有している前記複数のグループに関する情報のうちの少なくとも１つを受信すること、
のうちの少なくとも１つを含む、
請求項１３記載の方法。
【請求項１６】
隣接する複数の基本ユニットの間のガードバンドに関するガードバンド情報を受信することを更に含み、
前記信号をデコードすることは、前記ヌメロロジー情報及び前記ガードバンド情報に基づいて、前記信号をデコードすることを含む、
請求項１３記載の方法。
【請求項１７】
１つ又は複数の端末装置の割り当てられたリソースに関する情報を前記ネットワーク装置から受信することをさらに含み、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含む、
請求項１３記載の方法。
【請求項１８】
前記ヌメロロジー情報は、参照ヌメロロジーを送信するための前記キャリアの領域において受信され、
前記割り当てられたリソースに関する情報は、前記複数の基本ユニットのうちの１つ又は複数、及び、前記参照ヌメロロジーを送信するための前記キャリアの前記領域、のうちの少なくとも１つにおいて受信される、
請求項１７記載の方法。
【請求項１９】
キャリアについての１つ又は複数の基本ユニットの複数のヌメロロジーを示す、前記キャリアのヌメロロジー情報を決定するように構成されたコントローラと、
前記ヌメロロジー情報に基づいて受信可能とするために、端末装置へ前記ヌメロロジー情報を送信するように構成された送信機と、
を含むネットワーク装置。
【請求項２０】
前記基本ユニットは、前記キャリアの複数のサブキャリアによって用いられる、サブキャリア間隔及びシンボル長に基づいて、決定される、
請求項１９記載のネットワーク装置。
【請求項２１】
前記コントローラは、複数の前記基本ユニットのすべてについての複数のヌメロロジーを決定するように更に構成され、
前記送信機は、前記複数の基本ユニットのすべてについての前記複数のヌメロロジーに関する情報を前記端末装置へ送信するように更に構成されている、
請求項１９記載のネットワーク装置。
【請求項２２】
前記コントローラは、前記複数の基本ユニットの複数のグループを示すグルーピングパターンを決定し、各グループについてのヌメロロジーを決定するように更に構成され、
前記送信機は、前記グルーピングパターン及び／又は各グループについての前記ヌメロロジーに関する情報を前記端末装置へ送信するように更に構成されている、
請求項１９記載のネットワーク装置。
【請求項２３】
前記コントローラは、前記複数の基本ユニットについての複数のヌメロロジーを決定し、前記複数のヌメロロジーと前記複数の基本ユニットとの間の対応付けを決定するように更に構成され、
前記送信機は、前記複数のヌメロロジー及び／又は前記対応付けに関する情報を前記端末装置へ送信するように更に構成されている、
請求項１９記載のネットワーク装置。
【請求項２４】
前記コントローラは、前記複数の基本ユニットを複数のグループに分割し、前記複数のグループのうちの１つにおける複数の基本ユニットについての複数のヌメロロジーを示す、ヌメロロジー分布パターンを決定するように更に構成され、
前記送信機は、前記ヌメロロジー分布パターンに関する情報及び／又は前記複数のグループに関する情報を前記端末装置へ送信するように更に構成されている、
請求項１９記載のネットワーク装置。
【請求項２５】
前記コントローラは、隣接する複数の基本ユニットの複数のヌメロロジーに基づいて、前記隣接する複数の基本ユニットの間のガードバンドに関するガードバンド情報を決定するように更に構成され、
前記送信機は、前記ガードバンド情報を前記端末装置へ送信するように更に構成されている、
請求項１９記載のネットワーク装置。
【請求項２６】
前記コントローラは、前記隣接する複数の基本ユニットの複数のヌメロロジーの間に変化点が存在するかを検出し、前記検出に基づいて、前記隣接する複数の基本ユニットの間にガードバンドを存在させることを決定するように更に構成されている、
請求項２５記載のネットワーク装置。
【請求項２７】
前記ガードバンド情報は、
前記ガードバンドによって占有される複数のサブキャリア、
前記ガードバンドによって占有される複数の物理リソースブロック、及び、
前記ガードバンドが位置する基本ユニット、
のうちの１つ又は複数を更に含む、
請求項２５又は２６に記載のネットワーク装置。
【請求項２８】
前記送信機は、前記ヌメロロジー情報に基づいて、前記ガードバンド情報を前記端末装置へ送信するように更に構成されている、
請求項２５記載のネットワーク装置。
【請求項２９】
前記コントローラは、１つ又は複数の端末装置にリソースを割り当てるように更に構成され、
前記送信機は、前記割り当てられたリソースに関する情報を前記端末装置へ送信するように更に構成され、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含む、
請求項１９記載のネットワーク装置。
【請求項３０】
前記送信機は、参照ヌメロロジーを送信するための前記キャリアの領域において、前記ヌメロロジー情報を送信し、前記複数の基本ユニットのうちの１つ又は複数、及び、前記参照ヌメロロジーを送信するための前記キャリアの前記領域、のうちの少なくとも１つにおいて、前記割り当てられたリソースに関する情報を送信するように更に構成されている、
請求項２９記載のネットワーク装置。
【請求項３１】
キャリアについての１つ又は複数の基本ユニットの複数のヌメロロジーを示す、前記キャリアのヌメロロジー情報をネットワーク装置から受信するように構成された受信機と、
前記ヌメロロジー情報に基づいて、信号をデコードするように構成されたデコーダと、
を含む端末装置。
【請求項３２】
前記基本ユニットは、前記キャリアの複数のサブキャリアによって用いられる、サブキャリア間隔及びシンボル長に基づいて、決定される、
請求項３１記載の端末装置。
【請求項３３】
前記受信機は、
複数の前記基本ユニットのすべてについての複数のヌメロロジー関する情報、
前記複数の基本ユニットの複数のグループを示すグルーピングパターン及び／又は各グループについてのヌメロロジーに関する情報、
前記複数の基本ユニットについての複数のヌメロロジー及び／又は前記複数のヌメロロジーと前記複数の基本ユニットとの間の対応付けに関する情報、及び、
複数の基本ユニットの複数のグループのうちの１つにおける複数の基本ユニットについての複数のヌメロロジーを示す、ヌメロロジー分布パターンに関する情報、及び、前記複数のグループにおける前記複数の基本ユニットが同じ前記ヌメロロジー分布パターンを有している前記複数のグループに関する情報のうちの少なくとも１つ、
のうちの少なくとも１つを、受信するように更に構成されている、
請求項３１記載の端末装置。
【請求項３４】
前記受信機は、隣接する複数の基本ユニットの間のガードバンドに関するガードバンド情報を受信するように更に構成され、
前記デコーダは、前記ヌメロロジー情報及び前記ガードバンド情報に基づいて、前記信号をデコードするように更に構成されている、
請求項３１記載の端末装置。
【請求項３５】
前記受信機は、１つ又は複数の端末装置の割り当てられたリソースに関する情報を前記ネットワーク装置から受信するように更に構成され、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含む、
請求項３１記載の端末装置。
【請求項３６】
前記ヌメロロジー情報は、参照ヌメロロジーを送信するための前記キャリアの領域において受信され、
前記割り当てられたリソースに関する情報は、前記複数の基本ユニットのうちの１つ又は複数、及び、前記参照ヌメロロジーを送信するための前記キャリアの前記領域、のうちの少なくとも１つにおいて受信される、
請求項３５記載の端末装置。
【発明の詳細な説明】
【技術分野】
【０００１】
本開示の実施形態は、概して通信技術に関する。より具体的には、本開示の実施形態は、ヌメロロジーを示すための方法および装置に関する。
【背景技術】
【０００２】
新しく開発されたモバイル規格は、他の改良の中でも、より高いデータ転送速度、より多くの接続数、および、より優れたカバレッジを要求する。次世代モバイルネットワークアライアンス（Next Generation Mobile Networks Alliance）によると、５Ｇ規格では、１つのオフィスフロアの数十の従業員に対して毎秒１ギガビットの状態で、数万のユーザのそれぞれに対して、毎秒数十メガビットのデータレートを提供される予定である。大規模なセンサー配置をサポートするには、数十万の同時接続をサポートする必要がある。その結果、スペクトル効率は、新しい規格のより多くの要求を満たすために、高められると予想される。
【０００３】
慣例的に、単一のキャリア（a single carrier）について、１つのヌメロロジーがある。したがって、複数の端末装置（terminal devices）は、１つのネットワーク装置と通信する際に、同じヌメロロジーを使用する必要がある。これは、必然的に、ある種のトラフィックに対して、望ましくない遅延、低いスペクトル効率をもたらす。
【０００４】
したがって、異なるアプリケーション／ユーザの異なる要件を同時に満たすために、無線データ送信のための、より優れた送信技術／処理技術を開発する必要がある。
【発明の概要】
【０００５】
本開示は、ヌメロロジーを示すための解決策を提案する。
【０００６】
本開示の実施形態の第１の態様によれば、本開示の実施形態は、ネットワーク装置（network device）によって実行される方法を提供する。ネットワーク装置は、キャリアのヌメロロジー情報（numerology information）を決定する。ヌメロロジー情報は、キャリアについての１つまたは複数の基本ユニット（basic unit）のヌメロロジーを示す。そして、ネットワーク装置は、ヌメロロジー情報を端末装置に送信して、ヌメロロジー情報に基づく受信を可能にする。
【０００７】
本開示の実施形態の第２の態様によれば、本開示の実施形態は、端末装置（terminal device）によって実行される方法を提供する。端末装置は、ネットワーク装置からキャリアのヌメロロジー情報を受信する。ヌメロロジー情報は、キャリアについての１つまたは複数の基本ユニットのヌメロロジーを示す。そして、端末装置は、ヌメロロジー情報に基づいて信号を復号する。
【０００８】
本開示の実施形態の第３の態様によれば、本開示の実施形態は、ネットワーク装置を提供する。ネットワーク装置は、キャリアのための１つまたは複数の基本ユニットのヌメロロジーを示す、キャリアのヌメロロジー情報を決定するコントローラと、該ヌメロロジー情報を端末装置に送信して該ヌメロロジー情報に基づく受信を可能にする送信機（transmitter）とを含む。
【０００９】
本開示の実施形態の第４の態様によれば、本開示の実施形態は、端末装置を提供する。端末装置は、キャリアに関する１つまたは複数の基本ユニットのヌメロロジーを示す、キャリアのヌメロロジー情報をネットワーク装置から受信する受信機（receiver）と、ヌメロロジー情報に基づいて信号をデコードするデコーダとを含む。
【００１０】
本開示の実施形態の他の特徴および利点も、本開示の実施形態の原理を例として示す添付の図面と併せて読めば、以下の特定の実施形態の説明から明らかになろう。
【図面の簡単な説明】
【００１１】
本開示の実施形態は、例の意味で提示されており、それらの利点は、添付の図面を参照しながら以下でより詳細に説明される。
【００１２】
【図１】図１は、本開示の実施形態による、通信システム１００の概略図を示す。
【００１３】
【図２Ａ】図２Ａは、本開示の実施形態による、基本ユニットの図２００を示す。
【００１４】
【図２Ｂ】図２Ｂは、本開示のさらなる実施形態による、基本ユニットの図２６０を示す。
【００１５】
【図３】図３は、本開示の実施形態による、通信を実行するための方法３００のフローチャートを示す。
【００１６】
【図４】図４は、本開示の実施形態による、分散型表示（distributed indication）の図４００を示す。
【００１７】
【図５】図５は、本開示の実施形態による、集中型表示（centralized indication）の図５００を示す。
【００１８】
【図６】図６は、本開示の実施形態による、ガードバンド（guard band）６１０の図６００を示す。
【００１９】
【図７】図７は、本開示の実施形態による、ガードバンドの表示の図７００を示す。
【００２０】
【図８】図８は、本開示の実施形態による、ガードバンドの表示の図８００を示す。
【００２１】
【図９】図９は、本開示の実施形態による、リソースユニット（resource unit）９１０の図９００を示す。
【００２２】
【図１０】図１０は、本開示の実施形態による、情報送信（information transmission）の図１０００を示す。
【００２３】
【図１１】図１１は、本開示の実施形態による、通信を実行するための方法１１００のフローチャートを示す。
【００２４】
【図１２】図１２は、本開示の実施形態による、ネットワーク装置１２００の概略図を示す。
【００２５】
【図１３】図１３は、本開示の実施形態による、端末装置１３００の概略図を示す。
【００２６】
図面全体を通して、同一または類似の参照番号は、同一または類似の要素を示す。
【発明を実施するための形態】
【００２７】
本明細書に記載された主題は、いくつかの例示的な実施形態を参照して説明される。これらの実施形態は、主題の範囲に対するいかなる限定を示唆するのではなく、当業者が本明細書に記載の主題をよりよく理解して実施することを可能にする、目的でのみ説明されることを理解されたい。
【００２８】
本明細書で使用される用語は、特定の実施形態を説明することのみを目的としており、例示的な実施形態を限定することを意図するものではない。本明細書で使用されるとき、単数形「ａ」、「ａｎ」および「ｔｈｅ」は、文脈が明らかにそうでないことを示さない限り、複数形も含むことを意図している。本明細書で使用される場合、「有する（comprises）」、「有している（comprising）」、「含む（includes）」、及び／又は「含んでいる（including）」という用語は、記載された特徴（features）、完全体（integers）、ステップ（steps）、動作（operations）、要素（elements）、及び／又は、構成要素（components）の存在を特定するが、１つ又は複数の他の特徴、完全体、ステップ、動作、要素、構成要素、及び／又は、それらのグループの存在又は追加を排除するものではない。
【００２９】
また、いくつかの代替の実装形態では、言及された機能／動作は、図に示された順序とは異なる順序で行われてもよいことに留意されたい。例えば、連続して示される２つの機能または動作は、関与する機能／動作に応じて、実際には同時に実行されてもよく、時には逆の順序で実行されてもよい。
【００３０】
本明細書で使用されるとき、用語「通信ネットワーク」は、ロングタームエボリューション（ＬＴＥ）、ＬＴＥアドバンスト（ＬＴＥ−Ａ）、広帯域符号分割多元接続（ＷＣＤＭＡ（登録商標）：Wideband Code Division Multiple Access）、高速パケットアクセス（ＨＳＰＡ：High-Speed Packet Access (HSPA)）などの、任意の適切な通信規格に従う、ネットワークを指す。さらに、通信ネットワークにおける端末装置とネットワーク装置との間の通信は、これらに限定されるものではないが、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）の通信プロトコル群、および／または、現在知られているかまたは将来開発される他の任意のプロトコルを含む、任意の適切な世代の通信プロトコルに従って、実行されてもよい。
【００３１】
本開示の実施形態は、様々な通信システムに適用することができる。通信の急速な発展を考慮すると、当然ながら、本開示を実施することができる将来のタイプの通信技術およびシステムも存在する。本開示の範囲を上記のシステムのみに限定するものとして見なすべきではない。
【００３２】
「ネットワーク装置（network device）」という用語は、これらに限定されるものではないが、基地局（ＢＳ）、ゲートウェイ、管理エンティティ（management entity）、および、通信システム内の他の適切なデバイスを含む。「基地局」又は「ＢＳ」という用語は、ノードＢ（NodeB又はNB）、進化型ノードＢ（eNodeB又はeNB）、遠隔無線ユニット（RRU：Remote Radio Unit）、無線ヘッダ（RH：radio header）、遠隔無線ヘッド（RRH：remote radio head）、中継局（relay）、フェムトやピコなどの低電力ノード等が含まれる。
【００３３】
用語「端末装置（terminal device）」は、これらに限定されるものではないが、「ユーザ機器（ＵＥ）」、および、ネットワーク装置と通信することができる他の適切なエンドデバイスを含む。例として、「端末装置」は、端末、移動端末（MT：Mobile Terminal）、加入者局（SS：Subscriber Station）、携帯加入者局（Portable Subscriber Station）、移動局（MS：Mobile Station）、又は、アクセス端末（AT：Access Terminal）を指してもよい。
【００３４】
以下、本開示のいくつかの例示的な実施形態を図面を参照しながら以下に説明する。まず図１を参照する。図１は、本開示の実施形態による通信システム１００の概略図を示す。
【００３５】
通信システム１００には、特定の送信パターンを用いて端末装置（例えば、ＵＥ）１２０と通信する、ネットワーク装置（例えば、ｅＮＢ）１１０が示されている。ネットワーク装置１１０は、ヌメロロジー情報を端末装置１２０に送信し、ここで、ヌメロロジー情報は、キャリアのための１つまたは複数の基本ユニットのヌメロロジーを示す。したがって、端末装置１２０は、ヌメロロジー情報に基づいてネットワーク装置１１０から信号を受信することが可能になる。
【００３６】
本開示の文脈では、用語「ヌメロロジー」は、複数のパラメータのセットを指す。直交周波数分割多重（ＯＦＤＭ）ベースのシステムでは、該複数のパラメータは、これらに限定されるものではないが、例えば、サブキャリア間隔（subcarrier spacing）、シンボル長（symbol length）、サイクリックプレフィックス（ＣＰ）の長さなどを含む。例えば、１５ＫＨｚのサブキャリア間隔のためのヌメロロジーは、１つのサブフレーム内に１４個のシンボル、通常のＣＰなどを含み得る。３０ＫＨｚのサブキャリア間隔のためのヌメロロジーは、１つのサブフレーム内に２８個のシンボル、通常のＣＰなどを含み得る。このようなヌメロロジーは、１５ＫＨｚのサブキャリア間隔のヌメロロジーとは異なる。
【００３７】
「基本ユニット（basic unit）」という用語は、時間−周波数リソースのブロックを指す。
基本ユニットのサイズは、採用されているヌメロロジーによって異なる。基本ユニットは、キャリアの複数のサブキャリアによって使用される、サブキャリア間隔とシンボル長とに基づいて決定され得る。周波数領域では、基本ユニットは、最大サブキャリア間隔によって決定され得る。例えば、最大サブキャリア間隔を有する物理リソースブロック（ＰＲＢ）は、基本ユニットの周波数サイズであってもよく、および／または、最大シンボル長は、基本ユニットの時間サイズであってもよい。
【００３８】
図２Ａは、本開示の実施形態による、基本ユニット２４０の図を示す。図２Ａの例では、３つのサブキャリア、Ｓｃ１−Ｓｃ３がある。周波数領域では、基本ユニット２４０は、最大サブキャリア間隔６０ＫＨｚに基づいて決定される。すなわち、基本ユニット２４０の周波数サイズは、６０ＫＨｚのサブキャリアＳｃ１の１ＰＲＢ、３０ＫＨｚのサブキャリアＳｃ２の２ＰＲＢ、および１５ＫＨｚのサブキャリアＳｃ３の４ＰＲＢに等しい。
【００３９】
時間領域では、基本ユニット２４０は、最大シンボル長に基づいて決定される。したがって、基本ユニット２４０の時間サイズは、Ｓｃ１からＳｃ３の中で最大のシンボル長を有する、１５ＫＨｚのＳｃ３のシンボルに等しい。
【００４０】
上記に加えて、本開示の実施形態による基本ユニットは、他の適切な形態、例えば、時間領域における最大シンボル長の倍数、および／または、最大サブキャリア間隔の倍数、ＰＢＲの倍数、最小サブキャリア間隔または最小サブキャリア間隔の倍数で、実装されてもよい。図２Ｂは、本開示のさらなる実施形態による、別の基本ユニット２７０の図２００を示す。図２Ｂに示す例では、基本ユニット２７０は、周波数領域における最小サブキャリア間隔に基づいて定義される。時間領域の継続時間（time domain duration）は、他の方法で明示的または暗黙的に示されてもよい。例えば、基本ユニット２７０は、時間領域において基本ユニット２４０と同じ持続時間を有してもよく、または、その持続時間は、基本ユニット２４０の持続時間の倍数であってもよい。
【００４１】
上記の例は、限定ではなく例示を目的として説明されていることを理解されたい。当業者であれば、本開示の主題の範囲内で、基本ユニットを他の適切な形態で実施できることを理解するであろう。
【００４２】
従来、キャリアは単一のヌメロロジーを採用しているので、複数の端末装置が異なる通信要求を有する場合、スペクトル利用は、非効率的である可能性がある。この問題を解決するために、本開示の実施形態は、単一のキャリア（a single carrier）において複数のヌメロロジーを採用するために、以下で論じるような解決策を提案する。キャリアについての１つまたは複数の基本ユニットのヌメロロジーを示す、ヌメロロジー情報を受信することによって、端末装置は、ヌメロロジー情報に基づいて信号を受信することができる。
【００４３】
ここで、本開示のいくつかの例示的な実施形態が、以下の図を参照して、以下に説明される。図３は、本開示の実施形態による、ヌメロロジーを示すための方法３００のフローチャートを示す。方法３００は、ネットワーク装置１１０、例えばｅＮＢまたは他の適切な装置によって、実施され得る。
【００４４】
方法３００は、３１０で開始され、そこで、ネットワーク装置は、キャリアのヌメロロジー情報を決定する。ヌメロロジー情報は、キャリアについての１つまたは複数の基本ユニットのヌメロロジーを示す。３２０で、ネットワーク装置は、ヌメロロジー情報を端末装置に送信して、ヌメロロジー情報に基づく受信を可能にする。
【００４５】
本開示の実施形態によれば、ヌメロロジーを示すための様々な方法があり得る。いくつかの実施形態では、ヌメロロジー情報は、「分散型表示（distributed indication）」とも呼ばれる分散方式で示されてもよい。この場合、各基本ユニットのヌメロロジーが示される。説明の目的のために、図２Ａの基本ユニット２４０は、これらの実施形態において論じられる。したがって、３１０で、ネットワークデバイスは、すべての複数の基本単位についてそれぞれヌメロロジーを決定してもよい。いくつかの実装形態では、複数の基本ユニットのそれぞれのヌメロロジーを示すために、ビットマップが用いられてもよく、すなわち、１つまたは複数のビットが、各基本ユニットのヌメロロジーを示すために用いられてもよい。例えば、１５ＫＨｚ、３０ＫＨｚ、６０ＫＨｚ、および１２０ＫＨｚのサブキャリア間隔を示すために、２ビットが用いられてもよい。ビットが“００”であれば、ヌメロロジーのサブキャリアが１５ＫＨｚ＊１であることを意味し、ビットが“０１”であれば、ヌメロロジーのサブキャリアが１５ＫＨｚ＊２＝３０ＫＨｚであることを意味する。３２０で、ネットワーク装置は、すべての基本ユニットのヌメロロジーに関する情報を端末装置に送信してもよい。図４は、本開示の実施形態による分散型表示の図４００を示す。図４に示すように、キャリア内に６つの基本ユニット、つまり基本ユニット１〜６があり、基本ユニット１〜６のそれぞれについて用いられる、６つのヌメロロジー表示（6 numerology indications）がある。このように、ヌメロロジーは柔軟に示され得る。
【００４６】
いくつかの他の実施形態では、基本ユニットが、図２Ｂを参照して論じられたように基本ユニット２７０として定義される場合、ヌメロロジーが小さいサブキャリア間隔からより広いサブキャリア間隔へ変更されるとき、少なくとも複数の基本ユニットのヌメロロジーは同じである必要がある。たとえば、基本ユニットが１５ＫＨｚのサブキャリア間隔に基づいていてヌメロロジーが１５ＫＨｚから３０ＫＨｚに変更された場合、少なくとも２つの隣接する基本ユニットのヌメロロジーは同じでなければならず、ヌメロロジーが６０ＫＨｚに変更された場合、少なくとも４つの隣接する基本ユニットのヌメロロジーは同じでなければならない。
【００４７】
あるいは、いくつかの実施形態では、ヌメロロジー情報は、「集中型表示（centralized indication）」とも呼ばれる、集中型の方法で示されてもよい。この場合、そのキャリア帯域幅（carrier bandwidth）は、いくつかのグループに分割されてもよく、各グループは、グループ固有ヌメロロジーを有していてもよい。１つのグループは、１つ以上の基本ユニットを含み得る。グループ分割の詳細は、例えばグルーピングパターンと呼ばれる、パターンによって定義されてもよい。グルーピングパターンは、いくつかの方法で、例えば時分割複信（ＴＤＤ：Time Division Duplex）構成と同様に、トラフィック特性に従って、事前に定義されてもよい。グルーピングパターンは、代わりに、仕様にて定義されてもよい。いくつかの実装形態では、グルーピングパターンは、システム情報（system information）および／または物理ブロードキャストチャネル（PBCH）によって、搬送され得る。実施形態では、ネットワーク装置は、グルーピングパターンおよび／またはグループ固有ヌメロロジーを端末装置に通知してもよい。グループの数は、グルーピングパターンによって決定されてもよい。グループの数は、グルーピングパターンに応じて変わってもよい。最大グループ番号（maximum group number）が用意されていてもよい。この場合、端末装置は、最初にグルーピングパターンを復号し、次にそのパターンに基づいて、各グループに対応するヌメロロジーを復号する必要がある、可能性がある。
【００４８】
これらの実施形態では、３１０において、ネットワーク装置は、複数の基本ユニットの複数のグループを示す、グルーピングパターンを決定し、次いで、各グループについてヌメロロジーを決定することができる。３２０で、ネットワーク装置は、グルーピングパターンおよび／または各グループのヌメロロジーに関する情報を、端末装置に送信することができる。図５は、本開示の実施形態による集中型表示の図５００を示す。図５の例では、１つのキャリアにおいて６つの基本ユニット、つまり基本ユニット１〜６があり、それらは、３つのグループ、つまりグループ１〜３に分けられる。示すように、グループ１は、基本ユニット１，２を含み、グループ２は、基本ユニット３を含み、グループ３は、基本ユニット４〜６を含む。ヌメロロジーは、各グループについて決定される。そのため、グループ１，２，３のそれぞれについての３つのヌメロロジー表示がある。
【００４９】
いくつかの他の実施形態では、基本ユニットが、図２Ｂを参照して論じられたように基本ユニット２７０として定義される場合、ヌメロロジーが小さなサブキャリア間隔からより大きなサブキャリア間隔へ変更されるとき、各グループ内の複数の基本ユニットが同じヌメロロジーを有することを保証するために、複数の基本ユニットは、グループに分割されてもよい。図５を参照して、基本ユニット１〜６がそれぞれ基本ユニット２７０として定義されて、基本ユニット１，２がヌメロロジー１に対応し、基本ユニット３がヌメロロジー２に対応し、基本ユニット４，５，６がヌメロロジー３に対応する場合、ヌメロロジーが１５ＫＨｚから３０ＫＨｚに変更された場合、各グループの基本ユニットが同じヌメロロジーを持つように、基本ユニット１〜６は、３つのグループに分けられてもよい。
【００５０】
さらなる代替として、表示は、ヌメロロジーの観点からであり得る。すなわち、１つまたは複数の基本ユニットが特定のヌメロロジーについて示されてもよい。その表示は、ＬＴＥリソース割り当てのレガシーアプローチに類似していてもよい。ヌメロロジーに対応する複数の基本ユニットは、連続的または不連続的であり得る。いくつかの実施形態において、ヌメロロジー情報は、以下のように決定されてもよい。３１０で、ネットワーク装置は、複数の基本ユニットについての複数のヌメロロジーを決定し、ヌメロロジーと基本ユニットとの間の関連付けを決定することができる。次に、３２０で、ネットワーク装置は、ヌメロロジーおよび／または関連付けについての情報を端末装置に送信することができる。一実施形態では、ヌメロロジー情報は、以下の表１の形で実施されもよい。
【表１】
2019536344.tif 000003
【００５１】
ヌメロロジー情報を受信すると、端末装置は、３つのヌメロロジー（つまり、ヌメロロジー１、２および３）がキャリアについて設計されていること、つまり、基本ユニット１，２がヌメロロジー１に関連付けられ、基本ユニット３がヌメロロジー２に関連付けられ、基本ユニット４，５，６がヌメロロジー３に関連づけられていること、を理解する。
【００５２】
さらに別の代案として、キャリアの帯域幅は、複数のグループに分割されてもよく、各グループは、同じヌメロロジー分布パターン（numerology distribution pattern）を有する。１つのヌメロロジー分布パターンは、複数のグループのうちの１つにおける複数の基本ユニットの複数のヌメロロジーを示す。たとえば、１つのグループにおいて、ｉ番目の基本ユニット（基本ユニットｉとも呼ばれる。ｉ＝１，・・・，Ｍ。Ｍは、そのグループ内の基本ユニットの総数を示す。）が、１５ＫＨｚに対応するヌメロロジーを持ち、単位ユニットｉ＋４が６０ＫＨｚに対応するヌメロロジーを持ち、別のグループにおける基本ユニットｉ及びｉ＋４がそれぞれ同じヌメロロジー１５ＫＨｚおよび６０ＫＨｚを共有する場合、これら２つのグループのヌメロロジー分布パターンは、同じである。この場合、ネットワーク装置は、単一のグループについての、ヌメロロジー分布パターンおよび／またはグループ分割に関する情報などを、端末装置へ示してもよい。ヌメロロジー分布パターンおよび／またはグループ分割に関する情報は、仕様によって、ＲＲＣ構成（RRC configuration）によって、または他の適切な方法で、指定され得る。また、各グループについてのヌメロロジー分布パターンは、ダウンリンク制御情報において動的に示され得る。いくつかの実施形態において、ヌメロロジー情報は、以下のように決定されてもよい。３１０で、ネットワーク装置は、複数の基本ユニットをグループに分割し、複数のグループのうちの１つにおける複数の基本ユニットについてのヌメロロジーを示す、ヌメロロジー分布パターンを決定することができる。次に、３２０において、ネットワーク装置は、ヌメロロジー分布パターンについての情報および／または複数のグループについての情報を、端末装置に送信することができる。
【００５３】
本開示の実施形態によれば、異なる複数の隣接ヌメロロジーについて、ガードバンド（guard band）が必要である場合、１つまたは複数のサブキャリアのパンクチャリング（puncturing）が用いられてもよい。効率の観点から、より小さいサブキャリア間隔が、パンクチャされ得る。いくつかの実施形態では、新しい波形設計がガードバンドの必要性を軽減することができる場合、パンクチャリングは不要であり得る。本開示の実施形態によれば、ガードバンドは様々な方法で示されてもよい。周波数領域におけるガードバンドのユニット（以下、「ガードバンドユニット」とも呼ぶ）のサイズは、複数の隣接ヌメロロジー（the adjacent numerologies）および／またはヌメロロジー帯域幅（numerology bandwidth）および／または送信方向（transmission direction）に応じて、サブキャリア、ＰＲＢ、または他の適切な長さであり得る。１つ以上のガードバンドユニットが、１つのガードバンドとして示されてもよい。
【００５４】
図６は、本開示の実施形態によるガードバンド６１０の図６００を示す。図６に示すように、異なる複数のサブキャリア間隔の間、つまり、３０ＫＨｚのＳｃ２と１５ＫＨｚのＳｃ３との間に、ガードバンド６１０がある。ガードバンドユニットのサイズは、サブキャリア／ＰＲＢであり、この例におけるガードバンドは、３つのガードバンドユニットを含む。
【００５５】
本開示の実施形態によれば、オプションで、３２０の後、ネットワーク装置は、隣接する複数の基本ユニットのヌメロロジーに基づいて、隣接する複数の基本ユニットの間のガードバンドに関するガードバンド情報をさらに決定し、そのガードバンド情報を、各基本ユニットについての端末装置へ送信してもよい。
【００５６】
本開示のさらなる実施形態によれば、オプションで、３２０の後、ネットワーク装置は、基本ユニットの送信方向に基づいて、隣接する複数の基本ユニットの間のガードバンドに関するガードバンド情報をさらに決定してもよい。例えば、１つの基本ユニットがダウンリンク送信に使用され、これに隣接する基本ユニットがアップリンク送信に使用される場合、それらの間にガードバンドが存在することになる。送信方向が半静的に（semi-statically）変更される場合、ガードバンド情報は、ＲＲＣシグナリングまたはＰＢＣＨによって端末装置に示されてもよい。送信方向、例えばダウンリンクまたはアップリンクが、動的に変更される場合、ガードバンド情報は、ダウンリンク制御情報によって端末装置に示されてもよい。
【００５７】
ガードバンド情報の決定において、ネットワーク装置は、隣接する複数の基本ユニットのヌメロロジーの間に変化があるかどうかを検出し、次いで、その検出に基づいて、隣接する複数の基本ユニットの間のガードバンドの存在を決定することができる。いくつかの実施形態では、ガードバンド情報は、ガードバンドによって占有されるサブキャリア、ガードバンドによって占有される物理リソースブロック、ガードバンドが配置されている基本ユニット、および／またはこれに類似のものを含み得る。ガードバンド情報は、ガードバンドが存在するかどうかを示し得る。シグナリングの観点からは、ガードバンドが存在しないと決定されても、ガードバンドがゼロであると示すことによって、表現することができる。
【００５８】
ガードバンド情報を決定した後、ネットワーク装置は、ガードバンド情報を端末装置へ送信することができる。一の実施形態では、ガードバンド情報は、ヌメロロジー情報と一緒に送信され得る。図４の実施形態に戻って参照すると、ガードバンド情報は、各基本ユニットについて、ヌメロロジー情報とともに送信されてもよい。別の実施形態では、図５の実施形態に戻って参照すると、ガードバンド情報は、基本ユニットの各グループについて、ヌメロロジー情報とともに送信されてもよい。ガードバンド情報の表示についてのさらなる詳細は、図７および図８を参照して以下の実施形態で論じられる。
【００５９】
いくつかの実施形態では、ガードバンドは仕様によって定義されてもよい。この場合、ガードバンドは、隣接するヌメロロジーの組み合わせによる影響を受ける可能性があり、より低いサブキャリア間隔の側に、配置されてもよい。例えば、３０ＫＨｚのサブキャリア間隔と６０ＫＨｚのサブキャリア間隔とが隣接して配置されている場合、各サブキャリア間隔の詳細な帯域幅に関係なく、ガードバンドは、同じであり、常に３０ＫＨｚの側に配置されている。図７は、本開示の実施形態によるガードバンドの表示の図７００を示す。図７に示すように、基本ユニット１〜６の複数のヌメロロジーの変化点（change points）は、２つあり、その変化点には、仕様で定められた２つのガードバンド７１０，７２０が配置されている。この場合、ネットワーク装置は、ヌメロロジーについての情報を端末デバイスに通知することができ、導出されたヌメロロジーに基づいて、端末装置は、ガードバンド７１０，７２０があると推定することができる。
【００６０】
あるいは、いくつかの実施形態では、ガードバンド情報および／またはヌメロロジー情報は、システム情報／ＰＢＣＨまたは動的制御情報（ＤＣＩ：Dynamic Control Information）によって送信または示されてもよい。ガードバンド情報の表示（indication）は、ヌメロロジー情報の表示と同様に、ヌメロロジー分布パターンに従ってもよい。この場合、ガードバンドは、隣接するヌメロロジーの組み合わせおよび各ヌメロロジーの帯域幅の両方の影響を受ける可能性がある。
【００６１】
一の実施形態では、各基本ユニットについてガードバンドがある。隣接する複数の基本ユニットの間でヌメロロジーが変わらない場合、または、新しい波形を採用している場合、ガードバンドはゼロであってもよい。そのようなガードバンド情報は、図４を参照して論じられたように、ヌメロロジー情報と共に送信されてもよい。各基本ユニットについて、ヌメロロジーおよびガードバンドが示される。独立した表示および結合符号化（joint encoding）の両方が採用されてもよい。図８は、そのような実施形態によるガードバンドの表示の図８００を示す。
【００６２】
別の実施形態では、各ヌメロロジーの変化についてガードバンドがある。この場合、ガードバンド情報は、図５を参照して説明したように、ヌメロロジー情報とともに送信されてもよい。例えば、ガードバンド情報および／またはヌメロロジー情報は、ヌメロロジー分布パターンを示してもよい。したがって、その情報を受信すると、端末装置は、それに基づいてヌメロロジーの変化点を取得し、その後、変化点に従ってガードバンドの位置を決定することができる。この実施形態では、隣接する２つの基本ユニットのヌメロロジーが変化するときに、ガードバンド情報が送信される。そのようにして、ガードバンド情報を送信することによるオーバーヘッドが低減される。
【００６３】
本開示の実施形態によれば、ネットワーク装置は、リソース割り当てについての情報を、端末装置にさらに通知することができる。割り当てられたリソースは、ヌメロロジーとは無関係に、共通のインデックスによって示されてもよい。したがって、端末装置はそれに割り当てられたリソースを理解することができる。いくつかの実施形態では、ネットワーク装置は、１つまたは複数の端末装置にリソースを割り当て、次に、割り当てられたリソースに関する情報を端末装置に送信することができる。割り当てられたリソースに関する情報は、端末装置に割り当てられた基本ユニットのインデックス、端末装置に割り当てられた基本ユニット内の物理リソースブロックのインデックス、および他の適切な情報のうちの、１つまたは複数を含み得る。
【００６４】
いくつかの実施形態では、複数の基本ユニットは、０からＮ−１までのインデックスを付けられてもよく、ここで、Ｎは、基本ユニットの総数である。総数は、いくつかの方法で決定することができる。例えば、キャリア帯域幅がＢであり、基本周波数変動ユニット（basic frequency variation units）の帯域幅がＷである場合、総数は以下のように計算されてもよい。
N = ceil (B/ W)
ここで、「ceil」は、切り上げ操作を示す。
【００６５】
基本ユニット内の総ＰＲＢ数（Ｎ＿ｐとして示される）は、以下のように計算することができる。
N_p=W/Sc/N_Sc
ここで、Ｓｃは、この基本ユニットについてのサブキャリア間隔を表し、Ｎ＿Ｓｃは、ＰＲＢ内のサブキャリア数を表す。
【００６６】
ネットワーク装置は、どのＰＲＢおよび／またはどの基本ユニットが端末装置に割り当てられるかを決定し、割り当てられたリソースに関する情報を、端末装置に送信することができる。その情報は、１つまたは複数の基本ユニットのインデックスを含み得る。端末装置、例えば端末装置１２０は、割り当てられたリソースに関する情報を受信すると、まず、１つまたは複数の基本ユニットのインデックスを識別することができる。そして、端末装置は、割り当てられた１つまたは複数の基本ユニット内のどのＰＲＢを使用できるかを決定することができる。
【００６７】
いくつかの実装形態では、１つまたは複数のビットを使用して、１つまたは複数の基本ユニットのインデックスを示すことができる。そして、基本ユニット内の複数のＰＲＢを示すために、１つまたは複数の追加のビットを使用することができる。これらのビットは、対応する割り当てられた周波数領域リソースを示すために、ダウンリンクおよびアップリンクの両方で使用されてもよい。
【００６８】
あるいは、いくつかの実施形態では、リソース割り当て情報は、１つまたは複数のリソースユニット（resource unit(s)）によって示されてもよい。リソースユニットは、周波数領域における最小のサブキャリア間隔に基づいて、定義され得る。より大きなサブキャリア間隔については、単一のＵＥに割り当てられるリソースは、最も小さなサブキャリア間隔とより大きなサブキャリア間隔との間の関係を考慮しなければならない。例として、リソースユニットが１５ＫＨｚのサブキャリア間隔に基づき、６０ＫＨｚのリソース割り当ての場合、割り当てられる複数のリソースは、４の倍数であり得、４は、６０ＫＨｚを１５ＫＨｚで割ることによって得られる。時間領域の継続時間（time domain duration）は、他の方法で明示的または暗黙的に示すことができる。例えば、リソースユニットは、時間領域において上述した基本ユニットと同じ持続時間を有していてもよく、あるいは、持続時間は、基本ユニットの持続時間の倍数であってもよい。
【００６９】
図９は、本開示の実施形態によるリソースユニット９１０の図９００を示す。周波数領域では、リソースユニット９１０は、最も小さいサブキャリア間隔のＰＲＢ、つまり、１５ＫＨｚのＳｃ３に対応する。時間領域では、リソースユニット９１０は、最小のサブキャリア間隔のシンボルに対応する。
【００７０】
上記の実施形態に関して、異なる複数のチャネル符号化方式（channel coding schemes）が異なる複数の情報ブロックサイズについて使用される場合、または、時間領域送信持続時間（time domain transmission duration）がマルチサブフレームまたはミニスロットスケジューリング（multi-subframe or mini-slot scheduling）のために変化する可能性がある場合、対応する変調符号化方式（ＭＣＳ）／送信ブロックサイズ（ＴＢＳ）テーブルは、変化する可能性がある。選択されたＭＣＳ／ＴＢＳテーブルは、無線リソース構成（ＲＲＣ：Radio resource configuration）シグナリングによって設定されてもよい。
【００７１】
本開示の実施形態によれば、ネットワーク装置は、ヌメロロジー情報、および／またはガードバンド情報、および／またはリソース割り当てに関する情報を、様々な方法で送信することができる。いくつかの実施形態では、ネットワーク装置は、参照ヌメロロジー（reference numerology）に対応するキャリアの領域において、ヌメロロジー情報／ガードバンド情報を送信し、割り当てられたリソースについての情報を、１つまたは複数の基本ユニット、参照ヌメロロジーを送信するための上記キャリアの領域、および／またはこれに類似のものにおいて、送信することができる。
【００７２】
いくつかの実施形態では、ヌメロロジー情報、ガードバンド情報、および／またはリソース割り当てについての情報は、ＰＤＣＣＨ／拡張ＰＤＣＣＨ（ｅＰＤＣＣＨ：Enhanced PDCCH）によって搬送され得る。ヌメロロジー情報および／またはガードバンド情報を搬送するＰＤＣＣＨは、複数のＵＥのグループによって共有されてもよく、セル固有／ビーム固有の系列（cell specific/beam specific sequence.）によって、スクランブルされてもよい。そして、リソース割り当て情報を搬送するＰＤＣＣＨは、ＵＥ固有の方法でスクランブルされてもよい。端末装置、例えばＵＥに関して、それは、ヌメロロジー情報および／またはガードバンド情報を得るために、受信信号を復号することができる。その後、ＵＥは、リソース割り当てに関する情報を復号して、割り当てられたリソース、ＭＣＳ／ＴＢＳ、および／または送信持続時間（transmission duration）などを取得することができ、これらは、以下では、まとめてＵＥ固有制御情報（UE specific control information）と呼ばれる。
【００７３】
いくつかの実施形態では、ＵＥ固有制御情報は、特定のヌメロロジーに対応する時間−周波数リソースに配置されてもよい。あるいは、また、ＵＥ固有の制御情報は、参照ヌメロロジーに対応する時間−周波数リソースに配置されるか、単一のＰＤＣＣＨで搬送されるようにセル／ビーム固有制御情報（cell/beam-specific control information）と組み合わされるか、または、独立したＰＤＣＣＨを形成するために独立してスクランブルされてもよい。いくつかの実装形態では、そのＰＤＣＣＨは、周期的にまたは非周期的に発生し得る。非周期的な実装の場合、ＵＥは、そのＰＤＣＣＨを識別するために、ブラインド検出（blind detection）を実行し得る。
【００７４】
いくつかの代替実施形態では、その制御情報は、ＰＢＣＨまたはＲＲＣシグナリングによって搬送されてもよい。さらなる代替として、その制御情報は、ＲＲＣシグナリングと物理層制御情報（physical layer control information）との組み合わせによって、搬送されてもよい。そのような場合、ＲＲＣシグナリングは、可能な複数のヌメロロジー／ガードバンド構成（numerologies/guard band configurations）のサブセットを示すために用いられてもよく、物理層制御情報は、そのサブセット内のヌメロロジーを動的に示すために用いられてもよい。
【００７５】
図１０は、本開示の実施形態による、ＵＥ固有制御情報１０１０およびヌメロロジー情報／ガードバンド１０２０の送信の図１０００を示す。図１０に示すように、ＵＥ固有制御情報１０１０は、基本ユニット１を介して送信され、ヌメロロジー情報／ガードバンド情報は、参照ヌメロロジーに対応するキャリアの領域１０３０において送信される。
【００７６】
図１１を参照する。図１１は、本開示の実施形態による通信を実行するための方法１１００のフローチャートを示している。方法１１００は、端末装置１２０、例えば、ＵＥまたは他の適切な装置によって、実施することができる。
【００７７】
方法１１００は、１１１０で開始され、そこで、端末装置は、ネットワーク装置から、キャリアのヌメロロジー情報を受信する。ヌメロロジー情報は、そのキャリアについての、１つまたは複数の基本ユニットのヌメロロジーを示すことができる。基本ユニットは、そのキャリアの複数のサブキャリアによって使用される、サブキャリア間隔とシンボル長とに基づいて、決定され得る。例えば、周波数領域では、基本ユニットは、最大サブキャリア間隔に基づいて、決定されてもよい。時間領域では、基本ユニット２４０は、最大シンボル長に基づいて決定されてもよい。別の例では、基本ユニットは、また、周波数領域における最小サブキャリア間隔に基づいて決定されてもよく、および／または、時間領域における最小シンボル長に基づいて決定されてもよい。
【００７８】
いくつかの実施形態では、１１１０において、端末装置は、すべての複数の基本ユニットについての複数のヌメロロジーに関する情報を受信してもよい。あるいは、端末装置は、複数の基本ユニットのグループを示すグルーピングパターン、および／または、各グループについてのヌメロロジーに関する、情報を受信してもよい。さらなる代替として、端末装置は、複数の基本ユニットについての複数のヌメロロジー、および／または、ヌメロロジーと基本ユニットとの間の関連付けについての、情報を受信してもよい。さらに別の方法として、複数の基本ユニットは、複数のグループに分けられ、各グループの基本ユニットは、同じヌメロロジー分布パターンを有する。この場合、端末装置は、基本ユニットの複数のグループのうちの１つにおける複数の基本ユニットについての複数のヌメロロジーを示すヌメロロジー分布パターンに関する情報、および／または、その複数のグループに関する情報のうちの少なくとも１つを受信してもよい。
【００７９】
１１２０で、端末装置は、ヌメロロジー情報に基づいて信号を復号する。
【００８０】
いくつかの実施形態では、オプションで、端末装置は、隣接する複数の基本ユニットの間のガードバンドについてのガードバンド情報をさらに受信してもよい。この場合、１１２０で、端末装置は、ヌメロロジー情報およびガードバンド情報に基づいて信号を復号することができる。
【００８１】
いくつかの実施形態では、オプションで、端末装置は、ネットワーク装置からの１つまたは複数の端末装置の割り当てられたリソースに関するさらなる情報を受信してもよい。その割り当てリソースに関する情報は、複数の端末装置に割り当てられた基本ユニットのインデックスおよび／または複数の端末装置に割り当てられた基本ユニット内の物理リソースブロックのインデックスなどを含んでいてもよい。この場合、１１２０において、端末装置は、ヌメロロジー情報および割り当てられたリソースに関する情報（「リソース割り当てに関する情報」とも呼ばれる）に基づいて、信号を復号することができる。
【００８２】
いくつかの実施形態では、ヌメロロジー情報は、参照ヌメロロジーを送信するためのキャリアの領域で受信されてもよく、割り当てられたリソースに関する情報は、１つまたは複数の基本ユニットで、または、参照ヌメロロジーを送信するためのキャリアの領域または他の適切な領域で、受信されてもよい。
【００８３】
図１２は、本開示の一実施形態によるネットワーク装置１２００の概略図を示す。本開示の実施形態によれば、ネットワーク装置１２００は、通信システム内のネットワーク装置１１０または他の適切な装置として、実装され得る。
【００８４】
図１２に示すように、ネットワーク装置１２００は、コントローラ１２１０と、トランスミッタ１２２０とを含む。コントローラ１２１０は、キャリアについての１つまたは複数の基本ユニットの複数のヌメロロジーを示す、キャリアのヌメロロジー情報を決定するように、構成されている。トランスミッタ１２２０は、ヌメロロジー情報を端末装置に送信して、ヌメロロジー情報に基づく受信を可能にするように、構成されている。
【００８５】
いくつかの実施形態では、基本ユニットは、キャリアの複数のサブキャリアによって使用される、サブキャリア間隔およびシンボル長に基づいて、決定され得る。
【００８６】
いくつかの実施形態では、コントローラ１２１０は、すべての複数の基本ユニットについての複数のヌメロロジーを決定するように、さらに構成されてもよく、トランスミッタ１２２０は、すべての複数の基本ユニットについての複数のヌメロロジーに関する情報を端末装置に送信するように、さらに構成されてもよい。
【００８７】
いくつかの実施形態では、コントローラ１２１０は、基本ユニットの複数のグループを示すグルーピングパターンを決定し、各グループについてのヌメロロジーを決定するように、さらに構成されてもよく、トランスミッタ１２２０は、グルーピングパターンおよび／または各グループについてのヌメロロジーに関する情報を端末装置へ送信するように、さらに構成されてもよい。
【００８８】
いくつかの実施形態では、コントローラ１２１０は、複数の基本ユニットについての複数のヌメロロジーを決定し、該複数のヌメロロジーと該複数の基本ユニットとの関連付けを決定するように、さらに構成されてもよく、トランスミッタ１２２０は、該複数のヌメロロジーおよび／または該関連付けに関する情報を端末装置に送信するように、さらに構成されてもよい。
【００８９】
いくつかの実施形態では、コントローラ１２１０は、複数の基本ユニットを複数のグループに分割し、該複数のグループのうちの１つにおける複数の基本ユニットについての複数のヌメロロジーを示す、ヌメロロジー分布パターンを決定するように、さらに構成されてもよく、トランスミッタ１２２０は、ヌメロロジー分布パターンに関する情報、および／または該複数のグループに関する情報を端末装置へ送信するように、さらに構成されてもよい。
【００９０】
いくつかの実施形態では、コントローラ１２１０は、隣接する複数の基本ユニットの複数のヌメロロジーに基づいて、隣接する複数の基本ユニットの間のガードバンドに関するガードバンド情報を決定するように、さらに構成されてもよく、ヌメロロジー分布パターンは、ガードバンド情報を端末装置へ送信するように、さらに構成されてもよい。
【００９１】
いくつかの実施形態では、コントローラ１２１０は、隣接する複数の基本ユニットの複数のヌメロロジーの間に変化があるかどうかを検出し、その検出結果に基づいて、隣接する複数の基本ユニットの間のガードバンドの存在を決定するように、さらに構成されてもよい。
【００９２】
いくつかの実施形態では、ガードバンド情報は、ガードバンドによって占有される複数のサブキャリア、ガードバンドによって占有される複数の物理リソースブロック、および、ガードバンドが存在する基本ユニット、のうちの１つまたは複数をさらに含んでいてもよい。
【００９３】
いくつかの実施形態では、トランスミッタ１２２０は、そのヌメロロジー情報に基づいて、ガードバンド情報を端末装置に送信するように、さらに構成されてもよい。
【００９４】
いくつかの実施形態では、コントローラ１２１０は、１つまたは複数の端末装置にリソースを割り当てるように、さらに構成されてもよく、トランスミッタ１２２０は、割り当てられたリソースに関する情報を端末装置に送信するように、さらに構成されてもよい。割り当てられたリソースに関する情報は、その端末装置に割り当てられた基本ユニットのインデックス、および、その端末装置に割り当てられた基本ユニットにおける物理リソースブロックのインデックス、のうちの少なくとも１つを含む。
【００９５】
いくつかの実施形態では、トランスミッタ１２２０は、参照ヌメロロジーを送信するためのキャリアの領域においてヌメロロジー情報を送信し、１つまたは複数の基本ユニット、および、参照ヌメロロジーを送信するためのキャリアの領域、のうちの少なくとも１つにおいて、割り当てられたリソースに関する情報を送信するように、さらに構成されてもよい。
【００９６】
図１３は、本開示の一実施形態による端末装置１３００の概略図を示す。本開示の実施形態によれば、端末装置１３００は、通信システム内のネットワーク装置１２０または他の適切な装置として実装することができる。
【００９７】
図１３に示すように、端末装置１３００は、レシーバ１３１０と、デコーダ１３２０とを含む。レシーバ１３１０は、ネットワークデバイスから、キャリアのヌメロロジー情報を受信するように構成され、該ヌメロロジー情報は、キャリアについての１つまたは複数の基本ユニットの複数のヌメロロジーを示している。デコーダ１３２０は、そのヌメロロジー情報に基づいて、信号をデコードするように構成されている。
【００９８】
いくつかの実施形態では、基本ユニットは、キャリアのサブキャリアによって使用される、サブキャリア間隔とシンボル長とに基づいて決定されてもよい。
【００９９】
いくつかの実施形態では、レシーバ１３１０は、複数の基本ユニットのすべてについての複数のヌメロロジーに関する情報；複数の基本ユニットの複数のグループおよび／または各グループについてのヌメロロジーを示すグルーピングパターン；複数の基本ユニットについての複数のヌメロロジーおよび／または該複数のヌメロロジーと該複数の基本ユニットとの間の対応付けに関する情報；および、基本ユニットの複数のグループのうちの１つにおける複数の基本ユニットについての複数のヌメロロジーを示すヌメロロジー分布パターンに関する情報および／または複数のグループにおける複数の基本ユニットが同じヌメロロジー分布パターンを有する該複数のグループに関する情報のうちの少なくとも１つ；のうちの少なくとも１つを受信するように、さらに構成されてもよい。
【０１００】
いくつかの実施形態では、レシーバ１３１０は、隣接する複数の基本ユニットの間のガードバンドに関するガードバンド情報を受信するようにさらに構成されてもよく、デコーダ１３２０は、ヌメロロジー情報およびガードバンド情報に基づいて信号を復号するようにさらに構成されてもよい。
【０１０１】
いくつかの実施形態では、レシーバ１３１０は、ネットワーク装置から、１つまたは複数の端末装置の割り当てられたリソースに関する情報を受信するようにさらに構成されてもよく、該割り当てられたリソースに関する情報は、該端末装置に割り当てられた基本ユニットのインデックス、および、該端末装置に割り当てられた基本ユニットにおける物理リソースブロックのインデックス、のうちの少なくとも１つを含む。
【０１０２】
いくつかの実施形態では、上記のヌメロロジー情報は、参照ヌメロロジーを送信するためのキャリアの領域において受信されてもよく、上記の割り当てられたリソースに関する情報は、１つまたは複数の基本ユニット、および、参照ヌメロロジーを送信するためのキャリアの領域、のうちの少なくとも１つにおいて、受信されてもよい。
【０１０３】
装置１２００または装置１３００は、現在知られているかまたは将来開発されるいずれかの適切な技術によってそれぞれ実装され得ることにも留意されたい。また、図１２または図１３に示される単一の装置は、代わりに、別々の複数の装置に実装されてもよく、別々の複数の装置は、単一の装置に実装されてもよい。本開示の範囲はこれらの点において限定されない。
【０１０４】
装置１２００または装置１３００は、図３−１１を参照して説明されたような機能性を実装するように構成され得ることに留意されたい。したがって、方法３００に関して説明した特徴は、装置１２００の対応する構成要素に適用することができ、方法１１００に関して説明した特徴は、装置１３００の対応する構成要素に適用することができる。装置１２００または装置１３００の構成要素は、ハードウェア、ソフトウェア、ファームウェア、および／またはそれらの任意の組み合わせで具現化されうることに留意されたい。例えば、装置１２００または装置１３００の構成要素は、回路、プロセッサまたは他の任意の適切なデバイスによってそれぞれ実装され得る。当業者であれば、前述の例は説明のためのものに過ぎず限定するものではないことを理解するであろう。
【０１０５】
本開示のいくつかの実施形態では、装置１２００または１３００は少なくとも１つのプロセッサを含むことができる。本開示の実施形態と共に使用するのに適した少なくとも１つのプロセッサは、例として、既に知られているかまたは将来開発される、汎用プロセッサおよび特殊用途プロセッサの両方を含み得る。装置１２００または装置１３００は、少なくとも１つのメモリをさらに含み得る。該少なくとも１つのメモリは、例えば、ＲＡＭ、ＲＯＭ、ＥＰＲＯＭ、ＥＥＰＲＯＭ、およびフラッシュメモリデバイスなどの半導体メモリデバイスを含んでいてもよい。該少なくとも１つのメモリは、コンピュータ実行可能命令のプログラムを格納するために使用され得る。該プログラムは、高水準および／または低水準の適合可能または解釈可能な任意のプログラミング言語で記述されてもよい。実施形態によれば、上記のコンピュータ実行可能命令は、少なくとも１つのプロセッサを用いて、装置１２００が少なくとも上述の方法３００に従って実行するように、また、デバイス１３００が少なくとも上述の方法１１００に従って実行するように、構成されてもよい。
【０１０６】
上記の説明に基づいて、当業者は、本開示が、装置、方法、又はコンピュータプログラム製品において具体化され得ることを理解するであろう。一般に、様々な例示的な実施形態は、ハードウェアまたは特殊用途の回路、ソフトウェア、論理、またはそれらの任意の組み合わせで実施することができる。例えば、いくつかの態様は、ハードウェアで実施されてもよく、他の態様は、コントローラ、マイクロプロセッサ、または他のコンピューティングデバイスによって実行され得る、ファームウェアまたはソフトウェアで実施されてもよいが、本開示はそれに限定されない。本開示の例示的な実施形態の様々な態様は、ブロック図、フローチャート、または他の絵的表現を用いて図示および説明することができるが、本明細書に記載のこれらのブロック、装置、システム、技法、または方法は、非限定的な例として、ハードウェア、ソフトウェア、ファームウェア、専用回路または論理、汎用ハードウェアまたはコントローラまたは他のコンピューティングデバイス、またはそれらの何らかの組み合わせで、実施されてもよい。
【０１０７】
図３または図１１に示された様々なブロックは、方法のステップとして、および／または、コンピュータプログラムコードの動作から生じる動作として、および／または、関連する機能を実行するように構成された複数の結合された論理回路素子として、見ることができる。本開示の例示的な実施形態の少なくともいくつかの態様は、集積回路チップおよびモジュールなどの様々な構成要素で実施されてもよく、本開示の例示的な実施形態は、本開示の例示的な実施形態に従って動作するように構成された、集積回路、ＦＰＧＡ、またはＡＳＩＣとして具現化される装置において実現されてもよい。
【０１０８】
本明細書は、多くの具体的な実装の詳細を含むが、これらは、開示又は請求される事項の範囲についての限定として解釈されるべきではなく、特定の開示の特定の実施形態に特有の特徴の説明として解釈されるべきである。別個の実施形態の文脈において本明細書で説明される特定の特徴は、単一の実施形態において組み合わせて実装されてもよい。逆に、単一の実施形態の文脈で記載されている様々な特徴は、複数の実施形態で別々に又は任意の適切なサブコンビネーションで実装されてもよい。さらに、特徴は、特定の組み合わせで作用するものとして上述されてもよく、当初はそのように請求されていたとしても、請求された組み合わせからの１つ又は複数の特徴は、場合によっては、組み合わせから切り取られてもよく、サブコンビネーション又はサブコンビネーションのバリエーションとされてもよい。
【０１０９】
同様に、動作が特定の順序で図面に示されているが、これは、そのような動作が示された特定の順序で又は順番に実行されること、又は、所望の結果を達成するために図示された全ての動作を実行することを必要とするものとして理解されるべきではない。特定の状況では、マルチタスク処理及び並列処理が有利な場合がある。さらに、上述の実施形態における様々のシステム構成要素の分離は、すべての実施形態においてそのような分離を必要とするものとして理解されるべきではなく、記載されたプログラム構成要素及びシステムは、一般に、単一のソフトウェア製品に一緒に統合されてもよいし、又は、複数のソフトウェア製品にパッケージ化されてもよい。
【０１１０】
添付の図面と併せて読めば、前述の説明を考慮して、当業者には、本開示の前述の例示的な実施形態に対する様々な変更、適合が明らかになるであろう。任意のすべての変更は、依然として、本開示の非限定的且つ例示的な実施形態の範囲内に含まれる。さらに、本明細書に記載された開示の他の実施形態は、前述の説明及び関連する図面に示された教示の利益を有する本開示のこれらの実施形態に関係する当業者には、思い浮かぶであろう。
【０１１１】
したがって、本開示の実施形態は、開示される特定の実施形態に限定されるものではなく、修正及び他の実施形態は、添付の特許請求の範囲内に含まれることが意図されることを理解されたい。本明細書では特定の用語を使用しているが、それらは、一般的且つ説明的な意味でのみ使用され、限定の目的では使用されていない。
【図１】
2019536344.tif 000004
【図２Ａ】
2019536344.tif 000005
【図２Ｂ】
2019536344.tif 000006
【図３】
2019536344.tif 000007
【図４】
2019536344.tif 000008
【図５】
2019536344.tif 000009
【図６】
2019536344.tif 000010
【図７】
2019536344.tif 000011
【図８】
2019536344.tif 000012
【図９】
2019536344.tif 000013
【図１０】
2019536344.tif 000014
【図１１】
2019536344.tif 000015
【図１２】
2019536344.tif 000016
【図１３】
2019536344.tif 000017
【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
ネットワーク装置によって実行される方法であって、
キャリアについての１つ又は複数の基本ユニットの複数のヌメロロジーを示す、前記キャリアのヌメロロジー情報を決定すること、及び、
前記ヌメロロジー情報に基づいて受信可能とするために、端末装置へ前記ヌメロロジー情報を送信すること、
を含む方法。
【請求項２】
前記基本ユニットは、前記キャリアの複数のサブキャリアによって用いられる、サブキャリア間隔及びシンボル長に基づいて、決定される、
請求項１記載の方法。
【請求項３】
前記ヌメロロジー情報を決定することは、複数の前記基本ユニットのすべてについての複数のヌメロロジーを決定することを含み、
前記ヌメロロジー情報を送信することは、前記複数の基本ユニットのすべてについての前記複数のヌメロロジーに関する情報を前記端末装置へ送信することを含む、
請求項１記載の方法。
【請求項４】
前記ヌメロロジー情報を決定することは、
前記複数の基本ユニットの複数のグループを示すグルーピングパターンを決定すること、及び、
各グループについてのヌメロロジーを決定すること、
を含み、
前記ヌメロロジー情報を送信することは、前記グルーピングパターン及び／又は各グループについての前記ヌメロロジーに関する情報を前記端末装置へ送信することを含む、
請求項１記載の方法。
【請求項５】
前記ヌメロロジー情報を決定することは、
前記複数の基本ユニットについての複数のヌメロロジーを決定すること、及び、
前記複数のヌメロロジーと前記複数の基本ユニットとの間の対応付けを決定すること、
を含み、
前記ヌメロロジー情報を送信することは、前記複数のヌメロロジー及び／又は前記対応付けに関する情報を前記端末装置へ送信することを含む、
請求項１記載の方法。
【請求項６】
前記ヌメロロジー情報を決定することは、
前記複数の基本ユニットを複数のグループに分割すること、及び、
前記複数のグループのうちの１つにおける複数の基本ユニットについての複数のヌメロロジーを示す、ヌメロロジー分布パターンを決定すること、
を含み、
前記ヌメロロジー情報を送信することは、前記ヌメロロジー分布パターンに関する情報及び／又は前記複数のグループに関する情報を前記端末装置へ送信することを含む、
請求項１記載の方法。
【請求項７】
隣接する複数の基本ユニットの複数のヌメロロジーに基づいて、前記隣接する複数の基本ユニットの間のガードバンドに関するガードバンド情報を決定すること、及び、
前記ガードバンド情報を前記端末装置へ送信すること、
を更に含む、請求項１記載の方法。
【請求項８】
前記ガードバンド情報を前記端末装置へ送信することは、前記ヌメロロジー情報に基づいて、前記ガードバンド情報を前記端末装置へ送信することを含む、
請求項７記載の方法。
【請求項９】
１つ又は複数の端末装置にリソースを割り当てること、及び
前記割り当てられたリソースに関する情報を前記端末装置へ送信すること、
を更に含み、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含み、
前記ヌメロロジー情報を送信することは、
参照ヌメロロジーを送信するための前記キャリアの領域において、前記ヌメロロジー情報を送信すること、及び、
前記複数の基本ユニットのうちの１つ又は複数、及び、前記参照ヌメロロジーを送信するための前記キャリアの前記領域、のうちの少なくとも１つにおいて、前記割り当てられたリソースに関する情報を送信すること、
を含む、
請求項１記載の方法。
【請求項１０】
端末装置によって実行される方法であって、
キャリアについての１つ又は複数の基本ユニットの複数のヌメロロジーを示す、前記キャリアのヌメロロジー情報をネットワーク装置から受信すること、及び、
前記ヌメロロジー情報に基づいて、信号をデコードすること、
を含む方法。
【請求項１１】
前記ヌメロロジー情報を受信することは、
複数の前記基本ユニットのすべてについての複数のヌメロロジー関する情報を受信すること、
前記複数の基本ユニットの複数のグループを示すグルーピングパターン及び／又は各グループについてのヌメロロジーに関する情報を受信すること、
前記複数の基本ユニットについての複数のヌメロロジー及び／又は前記複数のヌメロロジーと前記複数の基本ユニットとの間の対応付けに関する情報を受信すること、及び、
複数の基本ユニットの複数のグループのうちの１つにおける複数の基本ユニットについての複数のヌメロロジーを示す、ヌメロロジー分布パターンに関する情報、及び、前記複数のグループにおける前記複数の基本ユニットが同じ前記ヌメロロジー分布パターンを有している前記複数のグループに関する情報のうちの少なくとも１つを受信すること、
のうちの少なくとも１つを含む、
請求項１０記載の方法。
【請求項１２】
隣接する複数の基本ユニットの間のガードバンドに関するガードバンド情報を受信することを更に含み、
前記信号をデコードすることは、前記ヌメロロジー情報及び前記ガードバンド情報に基づいて、前記信号をデコードすることを含む、
請求項１０記載の方法。
【請求項１３】
１つ又は複数の端末装置の割り当てられたリソースに関する情報を前記ネットワーク装置から受信することをさらに含み、
前記割り当てられたリソースに関する情報は、前記複数の端末装置に割り当てられた基本ユニットのインデックス、及び、前記複数の端末装置に割り当てられた基本ユニットにおける物理リソースブロックのインデックス、のうちの少なくとも１つを含み、
前記ヌメロロジー情報は、参照ヌメロロジーを送信するための前記キャリアの領域において受信され、
前記割り当てられたリソースに関する情報は、前記複数の基本ユニットのうちの１つ又は複数、及び、前記参照ヌメロロジーを送信するための前記キャリアの前記領域、のうちの少なくとも１つにおいて受信される、
請求項１０記載の方法。
【請求項１４】
ネットワーク装置であって、
プロセッサと、
前記プロセッサに接続され、且つ、複数の指示を保持するメモリと、
を具備し、
前記複数の指示は、前記プロセッサによって実行されたときに、前記ネットワーク装置に請求項１から９のいずれか１項に記載の方法を実行させる、
ネットワーク装置。
【請求項１５】
端末装置であって、
プロセッサと、
前記プロセッサに接続され、且つ、複数の指示を保持するメモリと、
を具備し、
前記複数の指示は、前記プロセッサによって実行されたときに、前記端末装置に請求項１０から１３のいずれか１項に記載の方法を実行させる、
端末装置。
【国際調査報告】
2019536344.tif 000018
2019536344.tif 000019